(57)【要約】【課題】光通信システムの長距離化が進み、２つのＷＤＭ装置が遠い場所に配置されている場合であっても、２つのＷＤＭ装置の設定を迅速に行うことができるＷＤＭ装置を提供する。【解決手段】波長分割多重方式を用いて光信号を中継するＷＤＭ装置であって、外部の通信機器が接続されたローカル通信ポートを有し、通信機器から光信号を受信して、光信号を電気信号に変換する複数のローカル通信部と、他のＷＤＭ装置が接続されたリモート通信ポートを有し、複数のローカル通信部がそれぞれ変換した複数の電気信号のそれぞれを、波長が異なる複数の光信号にそれぞれ変換して多重化し、他のＷＤＭ装置に送信するリモート通信部と、複数のローカル通信部からリモート通信部に供給される複数の電気信号のいずれかに、他のＷＤＭ装置の設定情報を含む設定データを割り込ませ、設定データをリモート通信部によって他のＷＤＭ装置に送信させる制御部とを備える。【選択図】図２
2005277529.tif 000002
【特許請求の範囲】
【請求項１】
波長分割多重方式を用いて光信号を中継するＷＤＭ装置であって、
外部の通信機器が接続されたローカル通信ポートを有し、前記通信機器から光信号を受信して、前記光信号を電気信号に変換する複数のローカル通信部と、
他のＷＤＭ装置が接続されたリモート通信ポートを有し、前記複数のローカル通信部がそれぞれ変換した複数の前記電気信号のそれぞれを、波長が異なる複数の光信号にそれぞれ変換して多重化し、前記他のＷＤＭ装置に送信するリモート通信部と、
前記複数のローカル通信部から前記リモート通信部に供給される前記複数の電気信号のいずれかに、前記他のＷＤＭ装置の設定情報を含む設定データを割り込ませ、前記設定データを前記リモート通信部によって前記他のＷＤＭ装置に送信させる制御部と
を備えるＷＤＭ装置。
【請求項２】
前記複数のローカル通信部のそれぞれと前記リモート通信部とを接続する複数の伝送路と、
前記複数の伝送路上にそれぞれ設けられ、前記ローカル通信部から供給された前記電気信号及び前記制御部から供給された前記設定データのいずれかを選択し、前記リモート通信部に供給して前記他のＷＤＭ装置に送信させる複数のスイッチング部と
をさらに備え、
前記制御部は、前記複数のスイッチング部のうちの１つの前記スイッチング部を選択し、前記１つのスイッチング部に前記設定データを供給することにより、前記１つのスイッチング部によって前記ローカル通信部から供給された前記電気信号に前記設定データを割り込ませる請求項１に記載のＷＤＭ装置。
【請求項３】
前記制御部は、前記複数のスイッチング部のうちの２以上の前記スイッチング部を選択し、前記２以上のスイッチング部に同一の前記設定データを供給することにより、前記２以上のスイッチング部によって２以上の前記ローカル通信部のそれぞれから供給された２以上の前記電気信号に前記設定データを割り込ませる請求項２に記載のＷＤＭ装置。
【請求項４】
前記制御部は、前記他のＷＤＭ装置のＭＡＣアドレスを宛先として、ＯＳＩ参照モデルのデータリンク層におけるパケットにより前記設定データを前記他のＷＤＭ装置に送信する請求項１に記載のＷＤＭ装置。
【請求項５】
前記複数のスイッチング部は、前記複数のスイッチング部における通信量をそれぞれ測定するカウンタをそれぞれ有し、
前記制御部は、前記複数のスイッチング部のそれぞれが測定した前記通信量を参照して、前記通信量が最も少ない前記１つのスイッチング部を選択し、前記１つのスイッチング部に前記設定データを供給することにより、前記１つのスイッチング部によって前記ローカル通信部から供給された前記電気信号に前記設定データを割り込ませる請求項２に記載のＷＤＭ装置。
【請求項６】
前記制御部は、前記複数のスイッチング部のそれぞれにループバックテストパケットを供給して前記リモート通信部から前記他のＷＤＭ装置に送信させることにより、波長が異なる前記複数の光信号において正常に通信可能であるか否かを試験し、試験結果に基づいて正常に通信可能であると判断した波長に対応する前記１つのスイッチング部を選択し、前記１つのスイッチング部に前記設定データを供給する請求項２に記載のＷＤＭ装置。
【請求項７】
前記制御部は、当該ＷＤＭ装置を管理するＳＮＭＰマネージャの識別情報を前記設定情報として含む前記設定データを前記リモート通信部によって前記他のＷＤＭ装置に送信させる請求項１に記載のＷＤＭ装置。
【請求項８】
波長分割多重方式を用いて光信号を中継するＷＤＭ装置であって、
外部の通信機器が接続されたローカル通信ポートを有し、前記通信機器から光信号を受信して、前記光信号を電気信号に変換する複数のローカル通信部と、
他のＷＤＭ装置が接続されたリモート通信ポートを有し、前記複数のローカル通信部がそれぞれ変換した複数の前記電気信号のそれぞれを、波長が異なる複数の光信号にそれぞれ変換して多重化し、前記他のＷＤＭ装置に送信するリモート通信部と、
前記複数のローカル通信部から前記リモート通信部に供給される前記複数の電気信号のいずれかに、前記他のＷＤＭ装置の設定情報の取得を要求する設定要求データを割り込ませ、前記設定要求データを前記リモート通信部によって前記他のＷＤＭ装置に送信させることにより、前記他のＷＤＭ装置から前記設定情報を取得する制御部と
を備えるＷＤＭ装置。
【請求項９】
前記制御部は、前記他のＷＤＭ装置から取得した前記設定情報を、当該ＷＤＭ装置に設定する請求項８に記載のＷＤＭ装置。
【請求項１０】
波長分割多重方式を用いて互いに通信する第１ＷＤＭ装置及び第２ＷＤＭ装置を備える光通信システムであって、
前記第１ＷＤＭ装置は、
外部の通信機器が接続された第１ローカル通信ポートを有し、前記通信機器から光信号を受信して、前記光信号を電気信号に変換する複数の第１ローカル通信部と、
前記第２ＷＤＭ装置が接続された第２リモート通信ポートを有し、前記複数の第１ローカル通信部がそれぞれ変換した複数の前記電気信号のそれぞれを、波長が異なる複数の光信号にそれぞれ変換して多重化し、前記第２ＷＤＭ装置に送信する第１リモート通信部と、
前記複数の第１ローカル通信部から前記第１リモート通信部に供給される前記複数の電気信号のいずれかに、前記第２ＷＤＭ装置の設定情報を含む設定データを割り込ませ、前記設定データを前記第１リモート通信部によって前記第２ＷＤＭ装置に送信させる第１制御部と
を有し、
前記第２ＷＤＭ装置は、
前記第１ＷＤＭ装置が接続された第２リモート通信ポートを有し、前記第１ＷＤＭ装置から多重化された前記複数の光信号を受信して、前記複数の光信号を複数の電気信号に変換する第２リモート通信部と、
外部の通信機器が接続された第２ローカル通信ポートを有し、前記第２リモート通信部が変換した前記電気信号を光信号に変換して、前記外部の通信機器に送信する複数の第２ローカル通信部と、
前記第２リモート通信部が変換した前記複数の電気信号のうちから、前記第１ＷＤＭ装置から送信された前記設定データを取得し、前記設定データが含む前記設定情報を前記第２ＷＤＭ装置に設定する第２制御部と
を有する光通信システム。
【請求項１１】
波長分割多重方式を用いて互いに通信する第１ＷＤＭ装置及び第２ＷＤＭ装置を備える光通信システムであって、
前記第１ＷＤＭ装置は、
外部の通信機器が接続された第１ローカル通信ポートを有し、前記通信機器から光信号を受信して、前記光信号を電気信号に変換する複数の第１ローカル通信部と、
前記第２ＷＤＭ装置が接続された第１リモート通信ポートを有し、前記複数の第１ローカル通信部がそれぞれ変換した複数の前記電気信号のそれぞれを、波長が異なる複数の光信号にそれぞれ変換して多重化し、前記第２ＷＤＭ装置に送信する第１リモート通信部と、
前記複数の第１ローカル通信部から前記第１リモート通信部に供給される前記複数の電気信号のいずれかに、前記第２ＷＤＭ装置の設定情報の取得を要求する設定要求データを割り込ませ、前記設定要求データを前記第１リモート通信部によって前記第２ＷＤＭ装置に送信させる第１制御部と
を有し、
前記第２ＷＤＭ装置は、
外部の通信機器が接続された第２ローカル通信ポートを有し、前記通信機器から光信号を受信して、前記光信号を電気信号に変換する複数の第２ローカル通信部と、
前記第１ＷＤＭ装置が接続された第２リモート通信ポートを有し、前記複数の第２ローカル通信部がそれぞれ変換した複数の前記電気信号のそれぞれを、波長が異なる複数の光信号にそれぞれ変換して多重化し、前記第１ＷＤＭ装置に送信する第２リモート通信部と、
前記第１ＷＤＭ装置から送信された前記設定要求データに応答して、前記複数の第２ローカル通信部から前記第２リモート通信部に供給される前記複数の電気信号のいずれかに、前記第２ＷＤＭ装置の前記設定情報を含む設定データを割り込ませ、前記設定データを前記第２リモート通信部によって前記第１ＷＤＭ装置に送信させる第２制御部と
を有する光通信システム。
【発明の詳細な説明】
【技術分野】
【０００１】
本発明は、ＷＤＭ装置及び光通信システムに関する。特に本発明は、光分割多重方式を用いて光信号を中継するＷＤＭ装置、及び当該ＷＤＭ装置を備える光通信システムに関する。
【背景技術】
【０００２】
近年の光通信システムは、大容量化や長距離化を目指して開発されている。大容量化を実現するために、波長の異なる複数の光信号を一本の光ファイバケーブルを用いて伝送する波長分割多重（ＷＤＭ：Ｗａｖｅｌｅｎｇｈｔ  Ｄｉｖｉｓｉｏｎ  Ｍｕｌｔｉｐｌｅｘｉｎｇ）方式を用いて光通信を中継するＷＤＭ装置が開発されている。また、長距離化を実現するために、光ファイバケーブルの伝搬損失を補償するための、広い波長範囲の光を一括して増幅することができる光アンプが開発されている。
【０００３】
現時点で先行技術文献の存在を認識していないので、先行技術文献に関する記載を省略する。
【発明の開示】
【発明が解決しようとする課題】
【０００４】
光通信システムの長距離化が進むにつれて、離れた場所に存在する２つのネットワークを接続するために各ネットワークにそれぞれ設けられた２つのＷＤＭ装置が遠い場所に配置されることになる。そのため、各ＷＤＭ装置に管理用端末を直接接続して各ＷＤＭ装置の設定を行わなければならない場合には、各ＷＤＭ装置の設定する際にシステム管理者が長距離の移動をして行わなければならなく、迅速に対応することが困難である。
【０００５】
そこで本発明は、上記の課題を解決することができるＷＤＭ装置及び光通信システムを提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によれば、波長分割多重方式を用いて光信号を中継するＷＤＭ装置であって、外部の通信機器が接続されたローカル通信ポートを有し、通信機器から光信号を受信して、光信号を電気信号に変換する複数のローカル通信部と、他のＷＤＭ装置が接続されたリモート通信ポートを有し、複数のローカル通信部がそれぞれ変換した複数の電気信号のそれぞれを、波長が異なる複数の光信号にそれぞれ変換して多重化し、他のＷＤＭ装置に送信するリモート通信部と、複数のローカル通信部からリモート通信部に供給される複数の電気信号のいずれかに、他のＷＤＭ装置の設定情報を含む設定データを割り込ませ、設定データをリモート通信部によって他のＷＤＭ装置に送信させる制御部とを備える。
【０００７】
複数のローカル通信部のそれぞれとリモート通信部とを接続する複数の伝送路と、複数の伝送路上にそれぞれ設けられ、ローカル通信部から供給された電気信号及び制御部から供給された設定データのいずれかを選択し、リモート通信部に供給して他のＷＤＭ装置に送信させる複数のスイッチング部とをさらに備え、制御部は、複数のスイッチング部のうちの１つのスイッチング部を選択し、１つのスイッチング部に設定データを供給することにより、１つのスイッチング部によってローカル通信部から供給された電気信号に設定データを割り込ませてもよい。
【０００８】
制御部は、複数のスイッチング部のうちの２以上のスイッチング部を選択し、２以上のスイッチング部に同一の設定データを供給することにより、２以上のスイッチング部によって２以上のローカル通信部のそれぞれから供給された２以上の電気信号に設定データを割り込ませてもよい。
【０００９】
制御部は、他のＷＤＭ装置のＭＡＣアドレスを宛先として、ＯＳＩ参照モデルのデータリンク層におけるパケットにより設定データを他のＷＤＭ装置に送信してもよい。
【００１０】
複数のスイッチング部は、複数のスイッチング部における通信量をそれぞれ測定するカウンタをそれぞれ有し、制御部は、複数のスイッチング部のそれぞれが測定した通信量を参照して、通信量が最も少ない１つのスイッチング部を選択し、１つのスイッチング部に設定データを供給することにより、１つのスイッチング部によってローカル通信部から供給された電気信号に設定データを割り込ませてもよい。
【００１１】
制御部は、複数のスイッチング部のそれぞれにループバックテストパケットを供給してリモート通信部から他のＷＤＭ装置に送信させることにより、波長が異なる複数の光信号において正常に通信可能であるか否かを試験し、試験結果に基づいて正常に通信可能であると判断した波長に対応する１つのスイッチング部を選択し、１つのスイッチング部に設定データを供給してもよい。
【００１２】
制御部は、当該ＷＤＭ装置を管理するＳＮＭＰマネージャの識別情報を設定情報として含む設定データをリモート通信部によって他のＷＤＭ装置に送信させてもよい。
【００１３】
また、本発明の第２の形態によれば、波長分割多重方式を用いて光信号を中継するＷＤＭ装置であって、外部の通信機器が接続されたローカル通信ポートを有し、通信機器から光信号を受信して、光信号を電気信号に変換する複数のローカル通信部と、他のＷＤＭ装置が接続されたリモート通信ポートを有し、複数のローカル通信部がそれぞれ変換した複数の電気信号のそれぞれを、波長が異なる複数の光信号にそれぞれ変換して多重化し、他のＷＤＭ装置に送信するリモート通信部と、複数のローカル通信部からリモート通信部に供給される複数の電気信号のいずれかに、他のＷＤＭ装置の設定情報の取得を要求する設定要求データを割り込ませ、設定要求データをリモート通信部によって他のＷＤＭ装置に送信させることにより、他のＷＤＭ装置から設定情報を取得する制御部とを備える。
制御部は、他のＷＤＭ装置から取得した設定情報を、当該ＷＤＭ装置に設定してもよい。
【００１４】
また、本発明の第３の形態によれば、波長分割多重方式を用いて互いに通信する第１ＷＤＭ装置及び第２ＷＤＭ装置を備える光通信システムであって、第１ＷＤＭ装置は、外部の通信機器が接続された第１ローカル通信ポートを有し、通信機器から光信号を受信して、光信号を電気信号に変換する複数の第１ローカル通信部と、第２ＷＤＭ装置が接続された第２リモート通信ポートを有し、複数の第１ローカル通信部がそれぞれ変換した複数の電気信号のそれぞれを、波長が異なる複数の光信号にそれぞれ変換して多重化し、第２ＷＤＭ装置に送信する第１リモート通信部と、複数の第１ローカル通信部から第１リモート通信部に供給される複数の電気信号のいずれかに、第２ＷＤＭ装置の設定情報を含む設定データを割り込ませ、設定データを第１リモート通信部によって第２ＷＤＭ装置に送信させる第１制御部とを有し、第２ＷＤＭ装置は、第１ＷＤＭ装置が接続された第２リモート通信ポートを有し、第１ＷＤＭ装置から多重化された複数の光信号を受信して、複数の光信号を複数の電気信号に変換する第２リモート通信部と、外部の通信機器が接続された第２ローカル通信ポートを有し、第２リモート通信部が変換した電気信号を光信号に変換して、外部の通信機器に送信する複数の第２ローカル通信部と、第２リモート通信部が変換した複数の電気信号のうちから、第１ＷＤＭ装置から送信された設定データを取得し、設定データが含む設定情報を第２ＷＤＭ装置に設定する第２制御部とを有する。
【００１５】
また、本発明の第４の形態によれば、波長分割多重方式を用いて互いに通信する第１ＷＤＭ装置及び第２ＷＤＭ装置を備える光通信システムであって、第１ＷＤＭ装置は、外部の通信機器が接続された第１ローカル通信ポートを有し、通信機器から光信号を受信して、光信号を電気信号に変換する複数の第１ローカル通信部と、第２ＷＤＭ装置が接続された第１リモート通信ポートを有し、複数の第１ローカル通信部がそれぞれ変換した複数の電気信号のそれぞれを、波長が異なる複数の光信号にそれぞれ変換して多重化し、第２ＷＤＭ装置に送信する第１リモート通信部と、複数の第１ローカル通信部から第１リモート通信部に供給される複数の電気信号のいずれかに、第２ＷＤＭ装置の設定情報の取得を要求する設定要求データを割り込ませ、設定要求データを第１リモート通信部によって第２ＷＤＭ装置に送信させる第１制御部とを有し、第２ＷＤＭ装置は、外部の通信機器が接続された第２ローカル通信ポートを有し、通信機器から光信号を受信して、光信号を電気信号に変換する複数の第２ローカル通信部と、第１ＷＤＭ装置が接続された第２リモート通信ポートを有し、複数の第２ローカル通信部がそれぞれ変換した複数の電気信号のそれぞれを、波長が異なる複数の光信号にそれぞれ変換して多重化し、第１ＷＤＭ装置に送信する第２リモート通信部と、第１ＷＤＭ装置から送信された設定要求データに応答して、複数の第２ローカル通信部から第２リモート通信部に供給される複数の電気信号のいずれかに、第２ＷＤＭ装置の設定情報を含む設定データを割り込ませ、設定データを第２リモート通信部によって第１ＷＤＭ装置に送信させる第２制御部とを有する。
【００１６】
なお上記の発明の概要は、本発明の必要な特徴の全てを列挙したものではなく、これらの特徴群のサブコンビネーションもまた発明となりうる。
【発明の効果】
【００１７】
本発明によれば、光通信システムの長距離化が進み、２つのＷＤＭ装置が遠い場所に配置されている場合であっても、２つのＷＤＭ装置の設定するためにシステム管理者が長距離の移動をする必要がなく、迅速に対応することができる。
【発明を実施するための最良の形態】
【００１８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１９】
図１は、本発明の一実施形態に係る光通信システム１００の構成の一例を示す。光通信システム１００は、ＷＤＭ装置１０２ａ〜１０２ｄ、ＷＤＭ装置１０４ａ〜１０４ｄ、及び管理用端末１０６を備える。管理用端末１０６は、ＷＤＭ装置１０２ａ又はＷＤＭ装置１０４ａの管理用ポートにシリアルケーブルやイーサネット（登録商標）ケーブル等のメタリックケーブルを介して直接接続され、ＷＤＭ装置１０２ａ〜１０２ｄ及びＷＤＭ装置１０４ａ〜１０４ｄの各種設定を行う。
【００２０】
ＷＤＭ装置１０２ａとＷＤＭ装置１０２ｂとは、光ファイバケーブル１３２ａを介して、ＷＤＭ装置１０２ａが備えるリモート通信部１１０ａとＷＤＭ装置１０２ｂが備えるリモート通信部１１０ｂとの間で接続される。また、ＷＤＭ装置１０２ｃとＷＤＭ装置１０２ｄとは、光ファイバケーブル１３２ｂを介して、ＷＤＭ装置１０２ｃが備えるリモート通信部１１０ｃとＷＤＭ装置１０２ｄが備えるリモート通信部１１０ｄとの間で接続される。
【００２１】
また、ＷＤＭ装置１０２ａ、１０２ｂ、１０２ｃ、及び１０２ｄは、イーサネット（登録商標）ケーブル等のメタリックケーブル１３６ａ、１３６ｂ、及び１３６ｃを介して、ＷＤＭ装置１０２ａが備える制御部１１４ａ、ＷＤＭ装置１０２ｂが備える制御部１１４ｂ、ＷＤＭ装置１０２ｃが備える制御部１１４ｃ、及びＷＤＭ装置１０２ｄが備える制御部１１４ｄにおいて直列的に接続される。
【００２２】
また、ＷＤＭ装置１０２ａは、光ファイバケーブル１３４ａを介してローカル通信部１１２ａがネットワークＮＷ１に接続され、光ファイバケーブル１３４ｂを介してローカル通信部１１２ｂがネットワークＮＷ２に接続される。ＷＤＭ装置１０２ｂは、光ファイバケーブル１３４ｃを介してローカル通信部１１２ｃがネットワークＮＷ３に接続され、光ファイバケーブル１３４ｄを介してローカル通信部１１２ｄがネットワークＮＷ４に接続される。同様に、ＷＤＭ装置１０２ｃ及び１０２ｄは、光ファイバケーブル１３４ｅ〜１３４ｈのそれぞれを介してローカル通信部１１２ｅ〜１１２ｈのそれぞれがネットワークＮＷ５〜ＮＷ８のそれぞれに接続される。
【００２３】
ここで、ＷＤＭ装置１０２ａが備える制御部１１４ａは、ＣＰＵを有し、ＷＤＭ装置１０２ｂ〜１０２ｄのそれぞれが備える制御部１１４ｂ〜１１４ｄのそれぞれは、ＣＰＵを有さなくてもよい。そして、ＷＤＭ装置１０２ａが備える制御部１１４ａは、ＣＰＵの機能により、ＷＤＭ装置１０２ａの通信及び設定を制御するとともに、メタリックケーブル１３６ａ、１３６ｂ、及び１３６ｃを介してＷＤＭ装置１０２ｂ〜１０２ｄの通信及び設定を制御する。
【００２４】
なお、ＷＤＭ装置１０４ａ〜１０４ｄの接続形態は、ＷＤＭ装置１０４ａに管理用端末１０６が接続されていないこと、及びＷＤＭ装置１０４ａ〜１０４ｄのそれぞれがネットワークＮＷ１’〜ＮＷ８’に接続されていることを除き、ＷＤＭ装置１０２ａ〜１０２ｄの接続形態と同一であるので説明を省略する。
【００２５】
ＷＤＭ装置１０２ａとＷＤＭ装置１０４ａとは、光ファイバケーブル１３０ａを介して、ＷＤＭ装置１０２ａが備えるリモート通信部１１０ａとＷＤＭ装置１０４ａが備えるリモート通信部１２０ａとの間で接続される。また、ＷＤＭ装置１０２ｃとＷＤＭ装置１０４ｃとは、光ファイバケーブル１３０ｂを介して、ＷＤＭ装置１０２ｃが備えるリモート通信部１１０ｃとＷＤＭ装置１０４ｃが備えるリモート通信部１２０ｃとの間で接続される。ＷＤＭ装置１０２ａとＷＤＭ装置１０４ａとの間の距離、及びＷＤＭ装置１０２ｃとＷＤＭ装置１０４ｃとの距離は、例えば数十ｋｍ程度の長距離である。
【００２６】
ＷＤＭ装置１０２ａは、ネットワークＮＷ１及びＮＷ２のそれぞれから光信号を受信する。また、ＷＤＭ装置１０２ａは、ＷＤＭ装置１０２ｂがネットワークＮＷ３及びＮＷ４のそれぞれから受信した光信号が、ＷＤＭ装置１０２ｂによって電光変換された光信号を、光ファイバケーブル１３２ａを介してＷＤＭ装置１０２ｂから受信する。そして、ＷＤＭ装置１０２ａは、ネットワークＮＷ１〜ＮＷ４のそれぞれから受信した信号が波長分割多重された光信号を生成し、光ファイバケーブル１３０ａを介してＷＤＭ装置１０４ａに送信する。
【００２７】
また、ＷＤＭ装置１０２ａは、ＷＤＭ装置１０４ａがネットワークＮＷ１’〜ＮＷ４’のそれぞれから受信した信号が波長分割多重された光信号を、光ファイバケーブル１３０ａを介してＷＤＭ装置１０４ａから受信する。そして、ＷＤＭ装置１０２ａは、ＷＤＭ装置１０４ａから受信した波長分割多重された光信号を分波する。そして、ＷＤＭ装置１０２ａは、ネットワークＮＷ１’及びＮＷ２’のそれぞれから送信された信号をネットワークＮＷ１及びＮＷ２のそれぞれに送信する。また、ＷＤＭ装置１０２ａは、ネットワークＮＷ３’及びＮＷ４’のそれぞれから送信された信号を、光ファイバケーブル１３２ａ及びＷＤＭ装置１０２ｂを介して、ネットワークＮＷ３及びＮＷ４のそれぞれに送信する。
【００２８】
ＷＤＭ装置１０２ｃは、ネットワークＮＷ５及びＮＷ６のそれぞれから光信号を受信する。また、ＷＤＭ装置１０２ｃは、ＷＤＭ装置１０２ｄがネットワークＮＷ７及びＮＷ８のそれぞれから受信した光信号が、ＷＤＭ装置１０２ｄによって電光変換された光信号を、光ファイバケーブル１３２ｂを介してＷＤＭ装置１０２ｄから受信する。そして、ＷＤＭ装置１０２ｃは、ネットワークＮＷ５〜ＮＷ８のそれぞれから受信した信号が波長分割多重された光信号を生成し、光ファイバケーブル１３０ｂを介してＷＤＭ装置１０４ｃに送信する。
【００２９】
また、ＷＤＭ装置１０２ｃは、ＷＤＭ装置１０４ｃがネットワークＮＷ５’〜ＮＷ８’のそれぞれから受信した信号が波長分割多重された光信号を、光ファイバケーブル１３０ｂを介してＷＤＭ装置１０４ｃから受信する。そして、ＷＤＭ装置１０２ｃは、ＷＤＭ装置１０４ｃから受信した波長分割多重された光信号を分波する。そして、ＷＤＭ装置１０２ｃは、ネットワークＮＷ５’及びＮＷ６’のそれぞれから送信された信号をネットワークＮＷ５及びＮＷ６のそれぞれに送信する。また、ＷＤＭ装置１０２ｃは、ネットワークＮＷ７’及びＮＷ７’のそれぞれから送信された信号を、光ファイバケーブル１３２ｂ及びＷＤＭ装置１０２ｄを介して、ネットワークＮＷ７及びＮＷ８のそれぞれに送信する。
【００３０】
なお、ＷＤＭ装置１０４ａ〜１０４ｄのそれぞれの構成及び機能は、ＷＤＭ装置１０２ａ〜１０２ｄのそれぞれの構成及び機能と同一であるので説明を省略する。
【００３１】
通常、上述のように、ＷＤＭ装置１０２ａ及び１０２ｂのそれぞれは、光ファイバケーブル１３０ａを介してＷＤＭ装置１０４ａ及び１０４ｂのそれぞれと通信し、ＷＤＭ装置１０２ｃ及び１０２ｄのそれぞれは、光ファイバケーブル１３０ｂを介してＷＤＭ装置１０４ｃ及び１０４ｄのそれぞれと通信する。一方、光ファイバケーブル１３０ａに障害が発生した場合には、例えば、ＷＤＭ装置１０２ａのリモート通信部１１０ａとＷＤＭ装置１０２ｄのリモート通信部１１０ｄとを光ファイバケーブルで接続することにより、ＷＤＭ装置１０２ａ〜１０２ｄのそれぞれは、光ファイバケーブル１３０ｂを介して、ＷＤＭ装置１０４ａ〜１０４ｄのそれぞれと通信する。また、光ファイバケーブル１３０ｂに障害が発生した場合には、例えば、ＷＤＭ装置１０２ｂのリモート通信部１１０ｂとＷＤＭ装置１０２ｃのリモート通信部１１０ｃとを光ファイバケーブルで接続することにより、ＷＤＭ装置１０２ａ〜１０２ｄのそれぞれは、光ファイバケーブル１３０ａを介して、ＷＤＭ装置１０４ａ〜１０４ｄのそれぞれと通信する。このように、光ファイバケーブルの多重化を行うことによって、安定した通信環境を確保することができる。
【００３２】
管理用端末１０６は、システム管理者の指示入力に基づいて、ＷＤＭ装置１０２ａ〜１０２ｄ及びＷＤＭ装置１０４ａ〜１０４ｄの管理を行う。例えば、ＷＤＭ装置１０２ａは、管理用端末１０６から入力される設定情報に基づいて、ＷＤＭ装置１０２ａの設定を行う。また、ＷＤＭ装置１０２ａは、ＷＤＭ装置１０２ａが保持する設定情報をＷＤＭ装置１０４ａに送信し、送信した設定情報に基づいてＷＤＭ装置１０４ａの設定を行わせる。また、ＷＤＭ装置１０２ａは、設定要求データをＷＤＭ装置１０４ａに送信し、ＷＤＭ装置１０４ａが保持する設定情報をＷＤＭ装置１０４ａから受信し、受信した設定情報に基づいてＷＤＭ装置１０２ａの設定を行う。
【００３３】
このように、本実施形態に係る光通信システム１００によれば、システム管理者は、ＷＤＭ装置１０２ａに直接接続された管理用端末１０６を用いて、ＷＤＭ装置１０２ａ〜１０２ｄの設定を行えるだけでなく、ＷＤＭ装置１０４ａ〜１０４ｄの設定を行うことができる。したがって、光通信システム１００の長距離化が進み、ＷＤＭ装置１０２ａとＷＤＭ装置１０４ａとが遠い場所に配置されている場合であっても、ＷＤＭ装置１０２ａ及び１０４ａの設定するためにシステム管理者が長距離の移動をする必要がなく、迅速に対応することができる。
【００３４】
図２は、本実施形態に係るＷＤＭ装置１０２ａ及び１０２ｂ並びにＷＤＭ装置１０４ａ及び１０４ｂの構成の一例を示す。なお、本実施形態においては、以下に示すように、ＷＤＭ装置１０２ａ及び１０２ｂ並びにＷＤＭ装置１０４ａ及び１０４ｂは、それぞれ２つのローカル通信部を有するが、本発明に係るＷＤＭ装置は、ＷＤＭ装置１０２ａとＷＤＭ装置１０２ｂとが一体となって、又はＷＤＭ装置１０４ａとＷＤＭ装置１０４ｂとが一体となって４つ又はそれ以上の数のローカル通信部を有する１つのＷＤＭ装置であってもよい。なお、ＷＤＭ装置１０４ａの構成及び機能は、ＷＤＭ装置１０２ａの構成及び機能と同一であるので説明を省略する。
【００３５】
ＷＤＭ装置１０２ａは、リモート通信部１１０ａ、複数のローカル通信部１１２ａ及び１１２ｂ、制御部１１４ａ、複数のスイッチング部２００ａ及び２００ｂ、並びに複数の伝送路２０２ａ及び２０２ｂを備える。また、ＷＤＭ装置１０２ｂは、リモート通信部１１０ｂ、複数のローカル通信部１１２ｃ及び１１２ｄ、複数のスイッチング部２００ａ及び２００ｂ、並びに複数の伝送路２０２ａ及び２０２ｂを備える。
【００３６】
ローカル通信部１１２ａ〜１１２ｄのそれぞれは、ネットワークＮＷ１〜ＮＷ４のそれぞれに配置された外部の通信機器に接続されたローカル通信ポート２１０ａ〜２１０ｄをそれぞれ有し、ローカル通信ポート２１０ａ〜２１０ｄのそれぞれを介して、ネットワークＮＷ１〜ＮＷ４のそれぞれに配置された通信機器から光信号を受信する。また、ローカル通信部１１２ａ〜１１２ｄのそれぞれは、光電変換部２０８ａ〜２０８ｄをそれぞれ有し、ローカル通信ポート２１０ａ〜２１０ｄのそれぞれを介して受信した光信号を電気信号に変換して、スイッチング部２００ａ〜２００ｄにそれぞれ供給する。
【００３７】
また、ローカル通信部１１２ａ〜１１２ｄのそれぞれは、スイッチング部２００ａ〜２００ｄのそれぞれから供給された電気信号を、光電変換部２０８ａ〜２０８ｄのそれぞれによって光信号に変換する。そして、ローカル通信部１１２ａ〜１１２ｄのそれぞれは、光電変換部２０８ａ〜２０８ｄのそれぞれによって変換された光信号を、ローカル通信ポート２１０ａ〜２１０ｄのそれぞれを介して、ネットワークＮＷ１〜ＮＷ４にそれぞれ供給する。
【００３８】
リモート通信部１１０ａは、複数のローカル通信部１１２ａ及び１１２ｂがそれぞれ変換した複数の電気信号のそれぞれを、スイッチング部２００ａ及び２００ｂを介して受け取る。そして、リモート通信部１１０ａは、光電変換部２０６ａを有し、受け取った複数の電気信号のそれぞれを、波長が異なる複数の光信号にそれぞれ変換する。また、リモート通信部１１０ｂは、複数のローカル通信部１１２ｃ及び１１２ｄがそれぞれ変換した複数の電気信号のそれぞれを、スイッチング部２００ｃ及び２００ｄを介して受け取る。そして、リモート通信部１１０ｂは、光電変換部２０６ｂを有し、受け取った複数の電気信号のそれぞれを、波長が異なる複数の光信号にそれぞれ変換し、カスケード用ポート２０５を介してリモート通信部１１０ａに供給する。また、リモート通信部１１０ａは、ＷＤＭ装置１０４ａに接続されたリモート通信ポート２０４を有し、光電変換部２０６ａ及び２０６ｂによって多重化された光信号をＷＤＭ装置１０４ａに送信する。
【００３９】
また、リモート通信部１１０ａは、リモート通信ポート２０４を介して、ＷＤＭ装置１０４ａから光信号を受信する。そして、リモート通信部１１０ａは、リモート通信ポート２０４を介して受信した光信号を分波し、分波された複数の光信号を光電変換部２０６ａによって複数の電気信号に変換する。そして、リモート通信部１１０ａは、光電変換部２０６ａによって変換された電気信号を、スイッチング部２００ａ及び２００ｂのそれぞれに供給する。また、リモート通信部１１０ｂは、カスケード用ポート２０５を介して、リモート通信部１１０ａから光信号を受信する。そして、リモート通信部１１０ｂは、カスケード用ポート２０５を介して受信した光信号を分波し、分波された複数の光信号を光電変換部２０６ｂによって複数の電気信号に変換する。そして、リモート通信部１１０ｂは、光電変換部２０６ｂによって変換された電気信号を、スイッチング部２００ｃ及び２００ｄのそれぞれに供給する。
【００４０】
スイッチング部２００ａ〜２００ｄのそれぞれは、複数のローカル通信部１１２ａ〜１１２ｄのそれぞれとリモート通信部１１０ａ又は１１０ｂとを接続する複数の伝送路２０２ａ〜２０２ｄ上にそれぞれ設けられる。そして、スイッチング部２００ａ〜２００ｄのそれぞれは、ローカル通信部１１２ａ〜１１２ｄから供給された電気信号と、制御部１１４ａから供給された設定データ又は設定要求データとのいずれかを選択し、リモート通信部１１０ａに供給してＷＤＭ装置１０４ａに送信させる。また、スイッチング部２００ａ〜２００ｄのそれぞれは、スイッチング部２００ａ〜２００ｄにおける通信量を測定するカウンタ２０１ａ〜２０１ｄをそれぞれ有する。なお、スイッチング部２００ａ〜２００ｄは、スイッチチップで構成されることが好ましい。
【００４１】
制御部１１４ａは、管理用端末１０６からの指示入力に基づいて、ＷＤＭ装置１０２ａの設定情報を含む設定データ、ＷＤＭ装置１０４ａの設定情報を含む設定データ、ＷＤＭ装置１０４ａの設定情報を要求するための設定要求データ等の各種データを生成して、スイッチング部２００ａ〜２００ｄのうちの少なくとも１つに供給する。そして、制御部１１４ａは、複数のローカル通信部１１２ａ〜１１２ｄからリモート通信部１１０ａに供給される複数の電気信号のいずれかに、ＷＤＭ装置１０４ａを設定するための設定情報を含む設定データを割り込ませ、設定データをリモート通信部１１０ａによってＷＤＭ装置１０４ａに供給させる。また、制御部１１４ａは、複数のローカル通信部１１２ａ〜１１２ｄからリモート通信部１１０ａに供給される複数の電気信号のいずれかに、ＷＤＭ装置１０４ａの設定情報の取得を要求する設定要求データを割り込ませ、設定要求データをリモート通信部１１０ａによってＷＤＭ装置１０４ａに供給させることにより、ＷＤＭ装置１０４ａから設定情報を取得する。そして、制御部１１４ａは、ＷＤＭ装置１０４ａから取得した設定情報を、ＷＤＭ装置１０２ａに設定する。
【００４２】
ここで、制御部１１４ａは、複数のスイッチング部２００ａ〜２００ｄのカウンタ２０１ａ〜２０１ｄのそれぞれによって測定された、スイッチング部２００ａ〜２００ｄにおける通信量を参照して、通信量が最も少ない１つのスイッチング部を選択し、当該１つのスイッチング部に設定データ又は設定要求データを供給することにより、当該１つのスイッチング部によってローカル通信部から供給された電気信号に設定データ又は設定要求データを割り込ませてもよい。また、制御部１１４ａは、スイッチング部２００ａ〜２００ｄにおける通信量を参照して、通信量が少ない２以上のスイッチング部を選択し、当該２以上のスイッチング部に同一の設定データ又は設定要求データを供給することにより、当該２以上のスイッチング部によってローカル通信部から供給された電気信号に設定データ又は設定要求データを割り込ませてもよい。
【００４３】
また、制御部１１４ａは、設定データ又は設定要求データの送信に先立って、複数のスイッチング部２００ａ〜２００ｄのそれぞれに、ＷＤＭ装置１０４ａが正常に通信可能であるか否かを試験するためのループバックテストパケットを供給してＷＤＭ装置１０４ａに送信させてもよい。制御部１１４ａは、複数のスイッチング部スイッチング部２００ａ〜２００ｄのそれぞれにループバックテストパケットを供給してリモート通信部１１０ａからＷＤＭ装置１０４ａに送信させることにより、波長が異なる複数の光信号において正常に通信可能であるか否かを試験し、試験結果に基づいて正常に通信可能であると判断した波長に対応する１つ又は２以上のスイッチング部を選択し、当該１つ又は２以上のスイッチング部に設定データ又は設定要求データを供給してもよい。
【００４４】
このように、複数のスイッチング部２００ａ〜２００ｄに対応する光信号の通信状態に基づいて設定データ又は設定要求データを供給するスイッチング部を選択することにより、確実に設定データ又は設定要求データをＷＤＭ装置１０４ａに供給することができる。また、２以上のスイッチング部に同一の設定データ又は設定要求データを供給することにより、設定データ又は設定要求データを多重化してＷＤＭ装置１０４ａに送信することによっても、確実に設定データ又は設定要求データをＷＤＭ装置１０４ａに供給することができる。
【００４５】
また、他の例としては、波長の異なる複数の光信号のうちの１つを設定データ又は設定要求データを送信するための専用のチャネルとしてもよい。このようにすることにより、他の通常の通信に影響を与えることなく、設定データ又は設定要求データを送信することができ、ＷＤＭ装置１０２ａ及び１０４ａの設定を行うことができる。
【００４６】
図３は、本実施形態に係る制御部１１４ａの構成の一例を示す。制御部１１４ａは、パケット受信監視部３００、パケット解析部３０２、パケット生成部３０４、中央処理部３０６、通信処理部３０８、設定情報格納部３１０、及び管理用ポート３１２を有する。なお、制御部１２４ａの構成及び機能は、制御部１１４ａの構成及び機能と同一であるので説明を省略する。
【００４７】
パケット受信監視部３００は、スイッチング部２００ａ〜２００ｄに接続され、リモート通信部１１０ａがＷＤＭ装置１０４ａから受信したパケットを監視し、制御部１１４ａが宛先であるパケットを取得する。そして、パケット解析部３０２は、パケット受信監視部３００が取得したパケットを解析し、中央処理部３０６に通知する。そして、中央処理部３０６は、パケット解析部３０２によって通知された解析内容に従って各種動作を行う。具体的には、パケット解析部３０２が、パケット受信監視部３００が受信したパケットが設定データを含む旨を中央処理部３０６に通知すると、中央処理部３０６は、当該設定データを設定情報格納部３１０に格納し、また当該設定データに基づいて、ＷＤＭ装置１０２ａの設定を行う。また、パケット解析部３０２が、パケット受信監視部３００が受信したパケットが設定要求データを含む旨を中央処理部３０６に通知すると、中央処理部３０６は、設定情報格納部３１０に格納された設定データを含むパケットをパケット生成部３０４に生成させ、ＷＤＭ装置１０４ａに送信させる。
【００４８】
また、管理用ポート３１２には、シリアルケーブルやイーサネット（登録商標）ケーブル等のメタリックケーブルを介して管理用端末１０６が接続される。通信処理部３０８は、管理用ポート３１２を介して管理用端末１０６から入力された指示入力を中央処理部３０６に通知する。具体的には、管理用端末１０６は、ＷＤＭ装置１０２ａの設定データをＷＤＭ装置１０４ａに送信すべき旨の命令、ＷＤＭ装置１０４ａの設定データを取得してＷＤＭ装置１０２ａに設定すべき旨の命令、ループバックテストパケットをＷＤＭ装置１０４ａに送信してループバック試験をすべき旨の命令等を指示入力する。
【００４９】
中央処理部３０６は、管理用端末１０６からの指示入力に基づいて、設定データ若しくは設定要求データを含むパケット、又はループバックテストパケットをパケット生成部３０４に生成させ、スイッチング部２００ａ〜２００ｄの少なくとも１つを選択して供給させることにより、ＷＤＭ装置１０４ａに送信させる。
【００５０】
なお、制御部１１４ａは、設定データ若しくは設定要求データを含むパケット、又はループバックテストパケットを、ＷＤＭ装置１０４ａのＭＡＣアドレスを宛先として、ＯＳＩ参照モデルのデータリンク層におけるパケットによりＷＤＭ装置１０４ａに送信する。
【００５１】
図４は、本実施形態に係る設定データ又は設定要求データを含むパケット４００の構成の一例を示す。パケット４００は、送信元アドレス（ＤＡ）、宛先アドレス（ＳＡ）、データ長（Ｌｅｎｇｔｈ）、データ（Ｄａｔａ）、及び誤り訂正符号（ＣＲＣ）を含む。
【００５２】
送信元アドレス（ＳＡ）及び宛先アドレス（ＤＡ）は、ＷＤＭ装置１０２ａ又はＷＤＭ装置１０４ａの識別情報であるＭＡＣアドレス（ＡＡ・・・）である。また、データ長（Ｌｅｎｇｔｈ）は、パケット４００のサイズ（ＬＬ・・・）を示す。また、誤り訂正符号（ＣＲＣ）は、データのバースト誤りを検出するための符号（ＣＣ・・・）である。
【００５３】
データ（Ｄａｔａ）は、パケットＩＤ（ＦＦ）、モデルＩＤ（ＭＭ）、バージョン（ＶＶ・・・）、パッチレベル（ＰＰ）、ビルドＩＤ（ＢＢ）、ハードウェアレビジョンＩＤ（ＨＨ・・・）、ループバックテストナンバー（ＮＮ・・・）、ループバックテストトータルナンバー（ＴＴ・・・）、ユニットステータス（ＵＵ）、モジュールステータス（ＭＭ・・・）、スポットステータス（ＳＳ・・・）、設定データ又は設定要求データ（ＲＲ・・・）を含む。
【００５４】
パケットＩＤは、パケット４００の識別情報であり、設定データを含むパケット、設定要求データを含むパケット、設定データによる設定の完了を通知するパケット、ループバックテストパケット等のいずれのパケットであるかを示す。モデルＩＤは、ＷＤＭ装置１０２ａのモデルの識別情報である。バージョンは、ＷＤＭ装置１０２ａのバージョンを示す。パッチレベルは、ＷＤＭ装置１０２ａのパッチレベルを示す。ビルドＩＤは、ＷＤＭ装置１０２ａのビルドＩＤを示す。ハードウェアレビジョンＩＤは、ＷＤＭ装置１０２ａのハードウェアレビジョンの識別情報である。
【００５５】
ループバックテストナンバーは、ループバックテストのシーケンス番号を示す。ループバックテストトータルナンバーは、ループバックテストが行われた全回数を示す。ユニットステータスは、ＷＤＭ装置１０２ａ〜１０２ｄのそれぞれの状態を示す。モジュールステータスは、複数のリモート通信部、複数のローカル通信部、及び複数の制御部のそれぞれの状態を示す。スポットステータスは、ＷＤＭ装置１０２ａ〜１０２ｄが有するチップの状態を示す。
【００５６】
設定データは、ＷＤＭ装置１０２ａの設定情報格納部３１０に格納された設定情報を含むデータである。また、設定要求データは、ＷＤＭ装置１０４ａの設定情報の取得を要求することを示すデータである。なお、設定データは、ＳＮＭＰによるトラップの送信先である管理装置の識別情報、即ちＷＤＭ装置１０２ａ又は１０４ａをＳＮＭＰエージェントとして管理するＳＮＭＰマネージャの識別情報を設定情報として含んでもよい。ＳＮＭＰマネージャの識別情報とは、例えば、ＩＰアドレスである。また、設定情報格納部３１０は、例えばＭＩＢ（Ｍａｎａｇｅｍｅｎｔ  Ｉｎｆｏｒｍａｔｉｏｎ  Ｂａｓｅ）であり、設定情報は、ＭＩＢに格納された情報であってもよい。
【００５７】
図５は、本実施形態に係る光通信システム１００の通信シーケンスの一例を示す。まず、管理用端末１０６は、設定データ又は設定要求データをＷＤＭ装置１０４ａに送信するように、ＷＤＭ装置１０２ａに指示を入力する（Ｓ５００）。ＷＤＭ装置１０２ａは、管理用端末１０６からの指示入力があると、波長の異なる複数の光信号のそれぞれチャネルにループバックテストパケットを割り込ませてＷＤＭ装置１０４ａに送信し（Ｓ５０２）、それに応答してＷＤＭ装置１０４ａから送信されるループバックテストパケットを受信する（Ｓ５０４）ことによって、正常に通信可能なチャネルを選択する（Ｓ５０６）。そして、ＷＤＭ装置１０２ａは、Ｓ５０６において選択したチャネルに、設定データ又は設定要求データを含むパケットを割り込ませて、ＷＤＭ装置１０４ａに送信する（Ｓ５０８）。
【００５８】
ＷＤＭ装置１０４ａは、ＷＤＭ装置１０２ａから設定データ又は設定要求データを含むパケットを受信すると、受信したパケットを解析し（Ｓ５１０）、設定データ及び設定要求データのいずれを含むパケットであるかを判断する（Ｓ５１２）。そして、設定データを含むパケットであると判断した場合には、ＷＤＭ装置１０４ａは、設定データに含まれるＷＤＭ装置１０２ａの設定情報に基づいて、ＷＤＭ装置１０４ａを設定する（Ｓ５１４）。一方、設定要求データを含むパケットであると判断した場合には、ＷＤＭ装置１０４ａは、波長の異なる複数の光信号のそれぞれチャネルにループバックテストパケットを割り込ませてＷＤＭ装置１０２ａに送信し（Ｓ５１６）、それに応答してＷＤＭ装置１０２ａから送信されるループバックテストパケットを受信する（Ｓ５１８）ことによって、正常に通信可能なチャネルを選択する（Ｓ５２０）。そして、ＷＤＭ装置１０４ａは、Ｓ５２０において選択したチャネルに、設定データを含むパケットを割り込ませて、ＷＤＭ装置１０２ａに送信する（Ｓ５２２）。なお、ＷＤＭ装置１０４ａは、ループバックテストパケットを送信することによって正常に通信可能なチャネルを選択することなく、ＷＤＭ装置１０２ａから設定データ又は設定要求データを含むパケットが送信されたチャネルに、設定データを含むパケットを割り込ませて、ＷＤＭ装置１０２ａに送信してもよい。
【００５９】
ＷＤＭ装置１０２ａは、ＷＤＭ装置１０４ａから設定データを含むパケットを受信すると、受信したパケットを解析し（Ｓ５２４）、設定データに含まれるＷＤＭ装置１０４ａの設定情報に基づいて、ＷＤＭ装置１０２ａを設定する（Ｓ５２６）。
【００６０】
以上のように、本実施形態に係る光通信システム１００によれば、ＷＤＭ装置１０２ａに直接接続された管理用端末１０６を用いて、ＷＤＭ装置１０２ａの設定情報でＷＤＭ装置１０４ａを設定することができ、また、ＷＤＭ装置１０４ａの設定情報でＷＤＭ装置１０２ａの設定をすることができる。したがって、ＷＤＭ装置１０２ａとＷＤＭ装置１０４ａとが遠い場所に配置されている場合であっても、ＷＤＭ装置１０２ａ及び１０４ａの設定を変更するためにシステム管理者が長距離の移動をする必要がなく、迅速に設定の変更を行うことができる。
【００６１】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００６２】
【図１】光通信システム１００の構成の一例を示す図である。
【図２】ＷＤＭ装置１０２ａ及び１０２ｂ並びにＷＤＭ装置１０４ａ及び１０４ｂの構成の一例を示す図である。
【図３】制御部１１４ａの構成の一例を示す図である。
【図４】設定データ又は設定要求データを含むパケット４００の構成の一例を示す図である。
【図５】光通信システム１００の通信シーケンスの一例を示す図である。
【符号の説明】
【００６３】
１００  光通信システム
１０２  ＷＤＭ装置
１０４  ＷＤＭ装置
１０６  管理用端末
１１０  リモート通信部
１１２  ローカル通信部
１１４  制御部
１２０  リモート通信部
１２４  制御部
１３０  光ファイバケーブル
１３２  光ファイバケーブル
１３４  光ファイバケーブル
１３６  メタリックケーブル
２００  スイッチング部
２０１  カウンタ
２０２  伝送路
２０４  リモート通信ポート
２０５  カスケード用ポート
２０６  光電変換部
２０８  光電変換部
２１０  ローカル通信ポート
２２０  スイッチング部
２２１  カウンタ
２２２  伝送路
２２４  リモート通信ポート
２２５  カスケード用ポート
２２６  光電変換部
２２８  光電変換部
２３０  ローカル通信ポート
３００  パケット受信監視部
３０２  パケット解析部
３０４  パケット生成部
３０６  中央処理部
３０８  通信処理部
３１０  設定情報格納部
３１２  管理用ポート
４００  パケット
【図１】
2005277529.tif 000003
【図２】
2005277529.tif 000004
【図３】
2005277529.tif 000005
【図４】
2005277529.tif 000006
【図５】
2005277529.tif 000007